(57)【要約】【課題】  光を用いて魚を引き網内に効率よく取り込むことができ、魚の逃避を抑えて確実に収穫することができ、全体的な漁獲効率を大きく向上させることのできる引き網漁法を提供すること。【解決手段】  光によって集魚した魚を、当該光を漁船１から繰り出されて拡網されている引き網９内に導くことにより当該引き網９内に取り込むことを特徴とする。【選択図】      図１
2005245316.tif 000002
【特許請求の範囲】
【請求項１】
光によって集魚した魚を、当該光を漁船から繰り出されて拡網されている引き網内に導くことにより当該引き網内に取り込むことを特徴とする引き網漁法。
【請求項２】
集魚用の光を発する集魚用光源は、少なくとも水中に配置されていることを特徴とする請求項１に記載の引き網漁法。
【請求項３】
水中の集魚用光源に対して引き網と反対側に魚に忌避作用を与える忌避用光源を配置して、魚を引き網内に追うように誘導するとともに引き網からの逃避を防止することを特徴とする請求項１または請求項２に記載の引き網漁法。
【請求項４】
水中の集魚用光源は、漁船から有線で導出制御される光源と、無線で制御される光源から１つ以上選択して用いられることを特徴とする請求項１から請求項３のいずれか１項に記載の引き網漁法。
【発明の詳細な説明】
【技術分野】
【０００１】
本発明は、引き網漁法に係り、特に、光を利用した引き網漁法に関する。
【背景技術】
【０００２】
一般に、魚を大量に漁獲する方法の１種として引き網を用いた漁法が行われている。
【０００３】
従来は、漁船から魚群探知機等によって魚群を探知し、その後若しくは予め水中に投網した引き網をその上流側に配置したオッターボードによって拡網させて、探知した魚群に向けて漁船を航行させて拡網された引き網内に魚群を収穫していた。また、魚の性質によって魚群の水中深度が相違するので、魚群の航行速度、引き網に装着する浮子や沈子により引き網の深度を調整していた（例えば、特許文献１参照）。
【０００４】
また、魚が光に集まる集光性を利用して漁獲するために、例えば、漁船の船上に多数設置した船上灯によって秋刀魚を集魚して、船尾側に連結したパラシュート状の引き網を漁船で曳網して秋刀魚を網内に取り込むことが提案されていた。また、２艘の漁船によって１つの引き網を曳網する漁法において、水中灯をケーブルによって漁船から繰り出して集魚して漁獲することが提案されている。
【０００５】
【特許文献１】特開２０００−１８９０００公報
【発明の開示】
【発明が解決しようとする課題】
【０００６】
しかしながら、前記した従来の漁法においては、魚群探知機によって探知した魚群に向けて引き網の曳網航跡を重複するように漁船を操船しながら収穫するものであるために、操船が難しく、収穫できずに逃避する魚もあり、収穫率が劣るものであった。
【０００７】
また、船上に多数設置した船上灯によって集魚しても、漁船の後側に離れている引き網が現在の漁船の位置まで曳網される間に逃避する魚もあり、同様に収穫率が劣るものであった。
【０００８】
本発明は、これらの点に鑑みてなされたものであり、光を用いて魚を引き網内に効率よく取り込むことができ、魚の逃避を抑えて確実に収穫することができ、全体的な漁獲効率を大きく向上させることのできる引き網漁法を提供することを目的とする。
【課題を解決するための手段】
【０００９】
前述した目的を達成するため、本発明の引き網漁法は、光によって集魚した魚を、当該光を漁船から繰り出されて拡網されている引き網内に導くことにより当該引き網内に取り込むことを特徴とする。
【００１０】
これにより漁船から繰り出されて拡網されている引き網内に光によって集魚された魚が取り込まれて漁獲される。魚は光によって確実に引き網内に取り込まれるので、魚を逃避させることなく確実に漁獲することができ、効率を大きく向上させることができる。
【００１１】
また、集魚用の光を発する集魚用光源は、少なくとも水中に配置されているものを用いるとよい。
【００１２】
また、集魚用光源としては、船上や水中に配置することができるが、水中に配置した集魚用光源を用いることにより直接魚を光源に集めることができるので集魚効率が高くなる。
【００１３】
また、水中の集魚用光源に対して引き網と反対側に魚に忌避作用を与える忌避用光源を配置して、魚を引き網内に追うように誘導するとともに引き網からの逃避を防止させるとよい。
【００１４】
これにより、集魚用光源によって魚を集魚しながら引き網内に誘導するとともに、忌避用光源によって魚を引き網内に追いやることにより魚の逃避を防止して効率のよい漁獲を行うことができる。
【００１５】
また、水中の集魚用光源としては、漁船から有線で導出制御される光源と、無線で制御される光源から１つ以上選択して用いるとよい。
【００１６】
これにより漁獲対象魚に対応した適正な方法で集魚用光源を動作させて集魚することができる。
【発明の効果】
【００１７】
このように本発明の引き網漁法は構成され作用するものであるから、光を用いて魚を引き網内に効率よく取り込むことができ、漁船の燃費を低く抑えて操業することができ、全体的な漁獲効率を大きく向上させることができる等の優れた効果を奏する。
【発明を実施するための最良の形態】
【００１８】
以下、本発明の実施の形態を図１から図７について説明する。
【００１９】
本発明の引き網漁法においては、図１（ａ）（ｂ）に示すように、最初に魚を光を用いて集魚する。
【００２０】
具体的には、予め魚群探知機等によって魚群を探知した位置に漁船１を航行させ、その探知した位置において潮流がある場合には船首を潮流の上流方向に向けて漁船１を引き網を拡網できる速度で航行する。そして、その位置において、漁船１の船上の全体に設けた船上集魚用光源２を漁獲対象魚に応じて所定位置にある船上集魚用光源２を点灯させる。更に、漁船１の前後からケーブル３により先端に取り付けた水中集魚用光源４を水中に投入して点灯させる。これにより漁船１の全体において光源を点灯させて魚の集魚が行われる。水中集魚用光源４は、漁獲対象魚の水中深度に応じて水深位置を合わせるようにする。例えば、秋刀魚等の表層魚の場合には水中漁獲用光源４の水中深度を浅くし、鯵等のように中層魚の場合には水中漁獲用光源４の水中深度を秋刀魚より深くするように調節する。また、水中漁獲用光源４は、図２に示すように、ケーブル３の代わりに浮子５からロープ６をもって吊り下げて水中に配置させ、無線により点灯・消灯の制御をするようにしてもよい。更に、水中漁獲用光源４は、図３に示すように、無人潜水艇のように形成して、可動翼状の水深調節機構７や１対の可変速スクリュー等からなる操舵機構８等を取り付けて無線で点灯・消灯制御、水深制御、操舵制御ができるようにしてもよい。図２および図３に示す無線制御の水中集魚用光源４を用いる場合には、当該水中集魚用光源４を予め水中に設置して点灯させて集魚させておき、その水中集魚用光源４に向けて漁船１を公知の自動操舵システムによって自動航行させるとよい。更に、魚の集魚のためには、少なくとも水中集魚用光源４を設置して、魚を水中において直接水中集魚用光源４に集めて集魚効率を高くするとよい。
【００２１】
次に、集魚用光源２および４により魚が十分に集魚された後に、図４（ａ）（ｂ）に示すように、定点保持中の漁船１の船尾より拡網させる拡網手段としてのカイト１０を有する引き網９を船尾から繰り出す。潮流がある場合には、潮流の下流方向に繰り出すと、引き網が潮流によっても拡網作用を受けて拡網される。漁船から繰り出された引き網９は漁船１の進行並びに潮流がある場合には潮流の搬送作用も受けて引き綱１１を繰り出しながら下流側に自動的に出されて行き、カイト１０が潮流を受けることにより引き網９の網口９ａを拡開して、引き網９の全体を拡網させる。図４の実施形態においては、カイト１０は引き網９の左右の袖網９ｂの上下にそれぞれ配置されている。カイト１０は、例えば本出願人が提案している特願平３−２９５９６９号公報および特開平５−２５２８５１号公報等に記載のようにキャンバス地等によって形成するとよく、潮流を受けるとキャンバス地が外側に開いて、引き網９を拡網する拡開力を付与するものである。また、拡網手段としては、前記カイト１０と同様の拡網作用を有するものであれば他の構成のものであってもよい。
【００２２】
次に、引き網９が十分に拡網されたことを確認した後に、図５（ａ）（ｂ）に示すように、船上集魚用光源２および船首側の水中集魚用光源４を消灯し、船尾側の水中集魚用光源４に集魚した魚群を集中させる。その後、ケーブル３を繰り出して漁船１の進行並びに潮流がある場合には潮流の搬送作用も受けて水中集魚用光源４を漁船１の船尾位置から投網した引き網９の網口９ａを通して網内に誘導する。また、水中集魚用光源４が図３に示すように操舵機構８を有する場合には、当該操舵機構８を無線制御することによって水中集魚用光源４を引き網９内に誘導するとよい。
【００２３】
次に、繰り出した水中集魚用光源４を引き網９の中央部分まで誘導した後に、図６（ａ）（ｂ）に示すように、漁船１の船尾よりケーブル１２の先端に取り付けたストロボ灯等の忌避用光源１３を水中に投入し、引き網９の網口９ａ部分まで繰り出す。忌避用光源１３が引き網９の網口９ａの近辺まで到達した後に、水中集魚用光源４を消灯させ、同時に忌避用光源１３を点滅させるとともに引き網９を漁船１上に巻き上げる。この時、引き網９内の魚は点滅する忌避用光源１３に対して忌避反応を示して、引き網９内に留まろうとする。これにより、引き網９を巻き上げることにより魚が引き網９外へ逃避することを有効に防止することができる。
【００２４】
次に、図７に示すように、消灯状態の水中集魚光源４は引き網９の巻き上げ速度より早く巻き上げ、点滅状態の忌避用光源１３と引き網９とを同時にかつ等速に巻き上げる。これにより引き網９内の魚は逃避を試みるが点滅状態の忌避用光源１３の忌避作用によって引き網９内に追いやられることとなるので、魚の逃避を完全に防止した効率のよい漁獲を行うことができる。また、水中集魚用光源４が図２の浮子５に吊り下げられたもの、若しくは図３の操舵機構８を有するものである場合には、消灯した水中集魚用光源４を魚と一緒に引き網９内に留めた状態で巻き上げるとよい。なお、忌避用光源１３の使用を省略してもよい。この場合、集魚用光源４を点灯させた状態で引き網９の巻き上げを行うとよい。
【００２５】
このように本実施形態によれば、漁船１から繰り出されて拡網された引き網９内に集魚用光源２、４からの光によって確実に集魚された魚が取り込まれて漁獲される。魚は光によって確実に引き網９内に取り込まれるので、魚を逃避させることなく確実に漁獲することができ、効率を大きく向上させることができる。
【００２６】
なお、本発明は、前述した実施の形態に限定されるものではなく、必要に応じて種々の変更が可能である。
【図面の簡単な説明】
【００２７】
【図１】（ａ）（ｂ）は集魚用光源を点灯した状態を示す側面図および斜視図
【図２】水中集魚用光源の他の実施形態を示す側面図
【図３】水中集魚用光源の更に他の実施形態を示す側面図
【図４】（ａ）（ｂ）は引き網を水中投入した状態を示す側面図および部分斜視図
【図５】（ａ）（ｂ）は集魚用光源を引き網に誘導する状態を示す側面図および平面図
【図６】（ａ）（ｂ）は忌避用光源を繰り出した状態を示す側面図および平面図
【図７】引き網を巻き上げる状態を示す側面図
【符号の説明】
【００２８】
１  漁船
２  船上集魚用光源
４  水中集魚用光源
９  引き網
１０  カイト
１３  忌避用光源
【図１】
2005245316.tif 000003
【図２】
2005245316.tif 000004
【図３】
2005245316.tif 000005
【図４】
2005245316.tif 000006
【図５】
2005245316.tif 000007
【図６】
2005245316.tif 000008
【図７】
2005245316.tif 000009